(57)【要約】      （修正有）【課題】品質を改善して、仕上がった管の端面を機械加工することを可能にする処理機械および方法を提供する。【解決手段】処理されるべき管１４のための締め付けデバイス２を用いて管の端面１３を平削りするための処理機械１は、平削り工具４を有する工具ホルダ３を有し、ここで、工具ホルダ３はモータによって駆動され、回転軸６を中心として回転することができ、ここで、締め付けデバイス２および工具ホルダは、モータによって駆動されて、工具ホルダの回転軸６に平行な方向に、互いに対して動かされることができ、処理機械１は冷却デバイスを備え、冷却デバイスは、デバイスの動作中、液体および／または固体二酸化炭素を用いて、処理されるべき管１４および／または平削り工具４を冷却するように構成されている。【選択図】図２
2019077034.tif 000002
【特許請求の範囲】
【請求項１】
処理されるべき管（１４）のための締め付けデバイス（２）を用いて前記管の端面（１３）を平削りするための処理機械（１）であって、
前記処理機械は、平削り工具（４）を有する工具ホルダ（３）を有し、
ここで、前記工具ホルダ（３）はモータによって駆動され、回転軸（６）を中心として回転することができ、
ここで、前記締め付けデバイス（２）および前記工具ホルダは、モータによって駆動されて、前記工具ホルダの前記回転軸（６）に平行な方向（９）に、互いに対して動かされることができ、
前記処理機械（１）は冷却デバイスを備え、前記冷却デバイスは、該デバイスの動作中に、液体および／または固体二酸化炭素を用いて、前記処理されるべき管（１４）および／または前記平削り工具（４）を冷却するように構成されていることを特徴とする、処理機械（１）。
【請求項２】
前記冷却デバイスは、前記液体または固体二酸化炭素のための少なくとも１つのノズル（１１）を備え、ここで、前記ノズル（１１）は、前記デバイスの動作中、前記二酸化炭素が、好ましくは前記管（１４）と前記平削り工具（４）との間の係合の周辺で、前記ノズル（１１）から前記管へと流れ出るように構成されていることを特徴とする、請求項１に記載の処理機械（１）。
【請求項３】
前記冷却デバイスは、前記二酸化炭素のための少なくとも１つのノズル（１１）を備え、ここで、前記ノズル（１１）は、前記デバイスの動作中、前記二酸化炭素が、好ましくは前記管（１４）と前記平削り工具（４）との間の係合の周辺で、前記ノズル（１１）から前記平削り工具（４）へと流れ出るように構成されていることを特徴とする、請求項１に記載の処理機械（１）。
【請求項４】
前記冷却デバイスは、前記二酸化炭素のための少なくとも１つのノズル（１１）を備え、ここで、前記ノズル（１１）は、前記デバイスの動作中、前記二酸化炭素が、好ましくは前記管（１４）と前記平削り工具（４）との間の係合の周辺で、前記ノズル（１１）から前記平削り工具（４）および前記管（１４）へと流れ出るように構成されていることを特徴とする、請求項１に記載の処理機械（１）。
【請求項５】
前記冷却デバイスは、ライン（１２）を介して前記ノズル（１１）に接続されている、液体二酸化炭素のためのリザーバを備えることを特徴とする、請求項１から４のいずれか一項に記載の処理機械（１）。
【請求項６】
前記冷却デバイスは、前記二酸化炭素のための少なくとも１つのノズル（１１）を備え、ここで、前記ノズル（１１）は膨張室を有し、前記膨張室は、ドライアイスが生成されるように前記液体二酸化炭素が前記膨張室内で膨張することができるように構成されていることを特徴とする、請求項１から５のいずれか一項に記載の処理機械（１）。
【請求項７】
前記冷却デバイスは、ライン（１２）を介して前記ノズル（１１）に接続されている、圧縮空気を生成するためのデバイスを備え、ここで、前記ライン（１２）の端部は前記ノズル（１１）において、前記膨張室内で生成される前記ドライアイスが、圧縮空気を用いて前記ノズル（１１）から飛び出すことができるように構成されていることを特徴とする、請求項６に記載の処理機械（１）。
【請求項８】
前記冷却デバイスは、前記二酸化炭素のための少なくとも１つのノズル（１１）を備え、ここで、前記デバイスの動作中、前記液体二酸化炭素から、ドライアイススノーの形態の固体二酸化炭素が、前記ノズル（１１）において生成されることを特徴とする、請求項１から７のいずれか一項に記載の処理機械（１）。
【請求項９】
前記処理機械（１）は、前記処理されるべき管の端面（１３）のための止め具（７）を備えることを特徴とする、請求項１から８のいずれか一項に記載の処理機械（１）。
【請求項１０】
前記止め具（７）はモータによって駆動されて、前記工具ホルダの前記回転軸（６）に実質的に垂直な方向（９）において第１の位置から第２の位置へと動かされ得、ここで、前記止め具（７）は、前記第１の位置において、前記処理されるべき管の前記端面（１３）と係合され得るように構成されており、前記止め具（７）は、前記第２の位置において、前記処理されるべき管の前記端面（１３）を解放するように構成されていることを特徴とする、請求項９に記載の処理機械（１）。
【請求項１１】
前記処理機械（１）は、前記処理されるべき管のための第１の締め付けデバイスと、前記処理されるべき管のための第２の締め付けデバイスと、突切り工具を有する第１の工具ホルダ（３）と、平削り工具（４）を有する第２の工具ホルダ（３）とを備え、ここで、前記第１の工具ホルダおよび前記第２の工具ホルダ（３）は、それらが回転軸（６）を中心として回転することができるように、モータによって駆動され、少なくとも前記第１の締め付けデバイスまたは前記第２の締め付けデバイスは、モータによって駆動されて、前記第１の工具ホルダおよび前記第２の工具ホルダ（３）の前記回転軸（６）に平行な方向（９）において動かされ得、前記第１の工具ホルダおよび前記第２の工具ホルダは、モータによって、前記回転軸（６）に垂直な方向（９）において駆動されて前進され得、前記第１の工具ホルダおよび前記第２の工具ホルダ（３）は、前記第１の締め付けデバイスと前記第２の締め付けデバイスとの間で前記工具ホルダ内に受け入れられている前記工具が前記処理されるべき管（１４）と係合することができるように配置されていることを特徴とする、請求項１から１０のいずれか一項に記載の処理機械（１）。
【請求項１２】
締め付けデバイスを用いて管を締め付けるステップと、
処理されるべき前記管の対称軸と一致する回転軸（６）を中心として平削り工具（４）を回転させるステップと、
管部分および前記平削り工具（４）を、互いに向けて前記回転軸（６）に平行な方向（９）において互いに対して動かすステップと、
前記平削り工具（４）を前記管の端面（１３）と係合させるステップと、
前記管（１４）の前記端面（１３）を平削りするステップと
によって前記管の前記端面（１３）を平削りするための方法であって、
前記平削り工具（４）と前記管の前記端面（１３）との間の係合中、前記処理されるべき管（１４）および／または前記平削り工具（４）は液体および／または固体二酸化炭素を用いて冷却されることを特徴とする、方法。
【請求項１３】
前記処理されるべき管（１４）および／または前記平削り工具（４）は、ドライアイススノーを用いて冷却されることを特徴とする、請求項１３に記載の方法。
【請求項１４】
前記ドライアイススノーは、前記管（１４）の周辺の膨張室内の液体二酸化炭素の膨張によって生成されることを特徴とする、請求項１４に記載の方法。
【発明の詳細な説明】
【技術分野】
【０００１】
本発明は、処理機械、および、管の端面を平削りするための方法に関する。
【背景技術】
【０００２】
管の製造において、特に圧延または抽伸によって、仕上がった管は、何らかの時点において長さ調整されなければならない。この管の長さ調整は一般的に、突切りと指定される。管が突切りされると、管は２つの管部分に分割される。
【０００３】
多くの用途のために、仕上がった、長さ調整管された各管部分の端面が、高い表面品質および平面性を有することが必要とされる。管の端面の表面品質、特に平面性に対する特別な要件が、後に円周溶接によって互いに接続されることになるそのような管部分に対して設定される。
【０００４】
それゆえ、仕上げ圧延または抽伸の後、すなわち、内径および／または外径（複数の場合もあり）が必要とされる公称サイズまで低減した後、管は、最初は第１の機械の中で圧延機の外部で突切りされ、次いで、それらの端部または端面がその後機械加工されることが既知である。
【０００５】
既知の方法が必要とされる端面の表面品質を得るには多大な費用をかけるしかないため、既知の方法は不利であることが分かっている。
【発明の概要】
【発明が解決しようとする課題】
【０００６】
対照的に、本発明の目的は、品質を改善して、仕上がった管の端面を機械加工することを可能にする処理機械および方法を提供することである。
【課題を解決するための手段】
【０００７】
この目的は、本発明によれば、処理されるべき管のための締め付けデバイスを用いて管の端面を平削りするための処理機械によって達成され、処理機械は、平削り工具を有する工具ホルダを有し、ここで、工具ホルダはモータによって駆動され、回転軸を中心として回転することができ、ここで、締め付けデバイスおよび工具ホルダは、モータによって駆動されて、工具ホルダの回転軸に平行な方向に、互いに対して動かされることができ、ここで、処理機械は冷却デバイスを備え、冷却デバイスは、当該デバイスの動作中に、液体および／または固体二酸化炭素を用いて、処理されるべき管および／または平削り工具を冷却するように構成されている。
【０００８】
驚くべきことに、液体または固体二酸化炭素（ＣＯ２）によって工具とワークピースとの間の係合領域を冷却することによって潤滑にもなり、その結果として、このように処理された管の端面の表面品質が最適なものになる。それゆえ、一実施形態において、ＣＯ２に加えてさらに潤滑剤を供給する必要はない。
【０００９】
一実施形態において、冷却デバイスは、二酸化炭素のための少なくとも１つのノズルを備え、ここで、ノズルは、冷却デバイスの動作中、二酸化炭素がノズルから、管または平削り工具のいずれかへ、しかし好ましくは管および平削り工具の両方へと流れ出すように構成されている。
【００１０】
ここで、二酸化炭素がノズルから、管と平削り工具との間の係合部付近で管へと流れ出すように、ノズルが構成されることが有利である。
【００１１】
液体または固体窒素を利用可能にするために、冷却デバイスは有利には、ノズルへのラインを介して接続されている、液体二酸化炭素のためのリザーバをさらに備える。
【００１２】
二酸化炭素をノズルから意図的に放出するために、冷却デバイスは、一実施形態において、同じくラインによってノズルに接続されている、圧縮空気を生成するためのデバイスを備える。
【００１３】
一実施形態において、液体二酸化炭素ではなく固体二酸化炭素によって冷却が行われるべきである場合、処理機械の動作中、液体二酸化炭素からドライアイススノーの形態の固体二酸化炭素が、ノズル内で生成されるように、ノズルが設計されることが有利である。
【００１４】
固体二酸化炭素によるこのタイプの冷却には、ワークピースまたは工具にドライアイススノーを噴霧することによって、ワークピースまたは工具に液体窒素を流すよりも効果的な冷却が可能になるという利点がある。冷却されるべき管と液体二酸化炭素との間の気体状二酸化炭素に起因する分離（ライデンフロスト効果）が回避される。
【００１５】
固体二酸化炭素またはドライアイスを生成するために、冷却デバイスが、二酸化炭素のための少なくとも１つのノズルを備えることが有利であり、ここで、ノズルは膨張室を有し、膨張室は、ドライアイスが生成されるように液体二酸化炭素が膨張室内で膨張することができるように構成されている。
【００１６】
加えて、一実施形態において、冷却デバイスは、ラインを介してノズルに接続されている、圧縮空気を生成するためのデバイスを備える。それによって、ラインの端部が、膨張室内で生成されたドライアイスが圧縮空気によってノズルから飛び出すことができるように構成されることが意図されている。
【００１７】
別の実施形態において、処理機械は、処理されるべき管の端面に対する止め具を有する。このように、締め付けデバイスに導入される管およびこの管の端面の正確な位置付けが可能になり得る。このとき、端面に対する止め具は好ましくは、ワークピース、すなわち、処理されるべき管の端面に対する平削り工具の前進の基準を形成する。
【００１８】
本発明の一実施形態において、止め具はモータによって駆動されて、工具ホルダの回転軸に実質的に垂直な方向において第１の位置から第２の位置へと動かされ得、ここで、止め具は、第１の位置において、処理されるべき管の端面と係合され得るように構成されており、止め具は、第２の位置において、処理されるべき管の端面を解放するように構成されている。
【００１９】
このように、止め具が平削り工具による端面の削除を阻害または制限することなく、端面が平削り工具を用いて削られ得る。
【００２０】
工具ホルダの回転軸は機械の動作中、好ましくは、処理されるべき管の対称軸と一致することが理解される。この目的のために、特に、締め付けデバイスはこのとき、処理されるべき管の対称軸が工具ホルダの回転軸と一致するように、処理されるべき管を締め付けるように構成されている。
【００２１】
回転軸に平行または垂直な方向が本出願において論じられる場合、この方向は、処理されるべき管の対称軸に垂直または平行な方向と同じ意味を有することが理解される。
【００２２】
さらに、回転軸に平行または垂直な方向が本出願の意味において論じられる場合、管の機械加工に必要とされる許容誤差の枠組みの中で、平行な方向または垂直な方向からの逸脱が可能であることが理解される。
【００２３】
本発明の処理機械の機能およびその動作特徴をよりよく理解することを可能にするために、機械は、処理機械を用いて実行することができる本発明の方法を参照して説明される。
【００２４】
上述の問題は、締め付けデバイスを用いて管を締め付けるステップと、処理されるべき管の対称軸と一致する回転軸を中心として平削り工具を回転させるステップと、管部分および平削り工具を、互いに向けて回転軸に平行な方向において互いに対して動かすステップと、平削り工具を管の端面と係合させるステップと、管の端面を平削りするステップとによって管の端面を平削りするための方法であって、平削り工具と管の端面との間の係合中、処理されるべき管および／または平削り工具は液体および／または固体二酸化炭素を用いて冷却される、方法によっても解決される。
【００２５】
一実施形態において、締め付けデバイスは、工具ホルダ自体が軸方向に前進する必要なしに、処理されるべき管および平削り工具の相対前進運動が軸方向において、すなわち、平削り工具ホルダの回転軸と平行に行われ得るように、モータによって駆動されて、回転軸に平行な方向において動かされ得る。
【００２６】
回転軸に平行な方向における締め付けデバイスのモータ駆動部に加えて、またはそれに代えて、平削り工具を有する工具ホルダはまた、回転軸に平行な方向における直線運動のための駆動部をも備えることができる。
【００２７】
したがって、本出願によれば、「回転軸に平行な方向における管の端面に向かう平削り工具の前進」という表現が使用される場合、この前進は、回転軸に平行な工具ホルダのモータ駆動部によって、または、処理されるべき管を回転軸に平行に動かすことによってのいずれかで行われ得る。
【００２８】
管の端面を平削りするために、平削り工具は、回転軸を中心として回転され、同時に、回転軸に平行な方向において管の端面に向かって前進される。平削り工具は端面と係合し、管の端面が平削りされる。
【００２９】
端面の平削りに加えて、工具ホルダ上に受け入れられる平削り工具は、端面を面取りする役割を果たすことができる。
【００３０】
本発明の一実施形態において、平削り工具は、切削プレートまたは切削インサート、好ましくは、画定された切削刃を用いて機械加工するための割り出し可能切削プレートである。
【００３１】
この目的のために、一実施形態において、平削り工具は、上面および下面ならびに上面と下面との間に延伸する側面を備える。下面は、接触面としての役割を果たし、工具ホルダの対応する表面と、取り付けられた状態で係合する。側面と上面との間の２つの対向する刃が、そのような切削工具の切削刃を形成する。工具は、平削り工具のワークピースとの係合中、上面が工具の機械加工面を形成するように、工具ホルダ上に受け入れられる。一実施形態において、上面または機械加工面は凹状に湾曲している。
【００３２】
本発明の一実施形態において、処理機械は、制御装置をさらに備え、ここで、制御装置は、処理機械が、回転軸を中心として工具ホルダを回転させるステップと、管の端面を平削りするために、回転軸に平行な方向において工具ホルダと締め付けデバイスとの間に相対運動を生成するステップとを実行するように、処理機械の動作を制御するように構成されている。要約すると、制御装置はそれゆえ、動作中、処理機械が本発明による方法を実行するように処理機械を制御するように構成されている。
【００３３】
一変形形態において、管の端面を平削りための処理機械は、処理されるべき管のための第１の締め付けデバイスと、処理されるべき管のための第２の締め付けデバイスと、突切り工具を有する第１の工具ホルダと、平削り工具を有する第２の工具ホルダとを備え、ここで、モータによって駆動される第１の工具ホルダおよび第２の工具ホルダは回転軸を中心として回転することができ、少なくとも第１の締め付けデバイスまたは第２の締め付けデバイスは、モータによって駆動されて、第１の工具ホルダおよび第２の工具ホルダの回転軸に平行な方向において動かされ得、それによって、回転軸に垂直な方向でモータによって駆動され得、それによって、第１および第２の締め付けデバイスとの間の工具ホルダが処理されるべき管と係合するよう実行され得るように、第１および第２の工具ホルダが構成される。
【００３４】
管の端面を平削りするだけでなく、同じ機械によって管を突切りするようにも設計されている処理機械、ここで、この機械は、一実施形態において、圧延機または抽伸機に一体化され得る。
【００３５】
本発明のそのような設計の機能をよりよく理解することを可能にするために、当該機能は、処理機械を用いて実行することができる本発明の方法の一実施形態を使用して説明される。本方法は、第１の締め付けデバイスを用いて管の第１の管部分において締め付けるステップと、第２の締め付けデバイスを用いて管の第２の管部分において締め付けるステップと、処理されるべき管の対称軸と一致する回転軸を中心として、突切り工具を回転させるステップと、第１の締め付けデバイスと第２の締め付けデバイスとの間で、対称軸に垂直な方向において管に向かって突切り工具を前進させるステップと、突切り工具を管と係合させるステップと、第１の管部分および第２の管部分が形成されるように、管を突切りするステップと、突切りされた管の第１の管部分と第２の管部分とを互いから離して動かすステップと、回転軸を中心として平削り工具を回転させるステップと、第１の管部分および平削り工具を互いに対して、回転軸に平行な方向において互いに向けて動かすステップと、平削り工具を、第１の管部分の端面と係合させて第１の管部分の端面を平削りするステップと、第２の管部分および平削り工具を互いに対して、回転軸に平行な方向において互いに向けて動かすステップと、平削り工具を、第２の管部分の端面と係合させて第２の管部分の端面を平削りするステップとをさらに含む。
【００３６】
第１の管部分の端面の平削りもしくは第２の管部分の端面のいずれが最初に行われるか、または、さらには第１の管部分および第２の管部分の両方の端面が同時に平削りされるかは、本発明にとって重要ではない。
【００３７】
処理機械の動作中、第１の工具ホルダ上に受け入れられている突切り工具は、回転軸を中心として回転され、同時に、回転軸に垂直な方向、すなわち、半径方向において、突切りされることになる管に向かって前進される。この時点において、突切り工具は管と係合し、管は突切りされる、すなわち、円周方向で分離される。管の分離によって、互いから独立した２つの管部分が生成され、そのうち第１の管部分は第１の締め付けデバイス内に締め付けられ、第２の管部分は第２の締め付けデバイス内に締め付けられる。
【００３８】
突切り後、２つの管部分は、平削り工具を導入するためにそれらの端面の間に十分な空間が生まれるように、２つの締め付けデバイスの間の距離を変更することによって、互いから離して抽伸される。
【００３９】
２つの管部分の端面を平削りするために、平削り工具は、回転軸を中心として回転され、同時に、回転軸に平行な方向において、選択的に第１の管部分もしくは第２の管部分のいずれかの端面に向けて、または一方で、同時に第１の管部分および第２の管部分の端面に対して前進される。それによって、平削り工具は端面と係合し、管部分の端面が平削りされる。
【００４０】
本発明の意味における突切り工具は、たとえば、画定された切削刃を用いて機械加工するための切削プレートまたは切削インサートである。特に、旋削工具が突切り工具に適している。
【００４１】
特に、２つの切削刃を有する上述した平削り工具が、第２の工具ホルダ内に受け入れられているまったく同じ平削り工具を用いて、突切りされた管の２つの管部分の対向する両方の端面を処理することを可能にする。
【００４２】
本発明の他の利点、特徴および応用可能性が、一実施形態の以下の説明および関連図面から明らかになる。
【図面の簡単な説明】
【００４３】
【図１】管が中に取り込まれていない、本発明による処理機械の一実施形態の概略側断面図である。
【図２】管が中に取り込まれている、図１の処理機械の概略断面図である。
【図３】止め具が延伸されている、図１および図２の処理機械の概略断面図である。
【図４】平削り工具が管と係合されている、図１〜図３の処理機械の概略断面図である。
【図５】工具が後退している、図１〜図４の処理機械の概略断面図である。
【図６】処理された管が延伸されている、図１〜図４の処理機械の概略断面図である。
【図７】平削り工具の一実施形態の斜視図である。
【発明を実施するための形態】
【００４４】
図面において、同一の参照符号は同一の要素を指定する。
【００４５】
図１は、本発明による処理機械１の一実施形態を概略側断面図で示す。機械１の個々の構成要素を明瞭に認識することができる。処理機械は、処理されるべき管（図１には示さず）のための締め付けデバイスとしての締め付けシリンダ２を備える。締め付けシリンダ２は管をその外周上で保持し、実質的に管の半径方向に力を及ぼす。さらに、機械には、平削り工具４が中に受け入れられる工具ホルダ３が設けられている。工具ホルダ３はモータ駆動部５によって、回転軸６を中心として回転可能であるように駆動され、それによって、平削り工具４は、回転軸６を中心とした回転運動を実行し、ここで、平削り工具４が運動する半径は、締め付けシリンダ２内に取り込まれる処理されるべき管の半径にほぼ対応する。
【００４６】
締め付けシリンダ２内に取り込まれる処理されるべき管が、その対称軸が工具ホルダ３の回転軸６と実質的に一致するように配置されるように、機械は構成される。
【００４７】
機械の作業面が明瞭に画定されるように、機械は、モータによって、この事例においてはリニアドライブ８によって、回転軸６に実質的に垂直な方向９において駆動され、工具ホルダ３の前進軌道から外れて動かされ得る止め具７をさらに備える。
【００４８】
さらに、工具ホルダ３は、リニアドライブ１０によって、回転軸６に実質的に平行な方向において動かされ得、それによって、平削り工具４は、処理されるべき管に対して前進され、再び後退され得る。
【００４９】
処理されるべきワークピース、すなわち、管を冷却するための冷却デバイスの構成要素として機械に設けられているノズル１１が、平削り工具４と管１４との間の係合中、管の端面を平削りするためのそのような処理機械の本発明による改善を決定づける。
【００５０】
この目的のために、ノズル１１はまた、ライン１２を介して圧縮空気を生成するためのデバイスに、および、液体二酸化炭素のためのリザーバにも接続される。ノズル１１は、リザーバからの液体二酸化炭素がノズル１１の膨張室内で膨張することができ、このようにして、本明細書においてはドライアイススノーとしても指定されるドライアイス粒子が生成されるように構成されている。このドライアイススノーはその後、圧縮空気によって生成される空気流に入り、処理されるべき管および平削り工具４の冷却されるべき表面上に高速で送られる。その固体集合状態に起因して、ドライアイススノーはスノーと冷却されるべき表面との間に分離気体層が形成されず、それによって、表面の効率的な冷却が行われる。
【００５１】
図２〜図６は、すでに突切りされている、すなわち、長さ調整されている管１４の端面１３を旋削および平削りしている間のデバイスを示す。管は図２において、処理機械１の締め付けシリンダ２内に動かされ、止め具７上に載置される。機械加工手順のこの時点において、止め具７は、そのモータ駆動部８を用いて機械１へと半径方向に動かされ、そこまでのところ、止め具は管１４の端面１３に沿って少なくとも部分的に延伸している。
【００５２】
次の段階において、締め付けシリンダ２が前進され、それによって、管１４が機械加工手順のために締め付けシリンダ２内に締め付けられる。ここで、図３は、止め具７がその後、モータ駆動部８によって管１４の端面１３の範囲から出てどのように動かされるかを示す。ここで、図４に概略的に示すような、管１４の端面１３の平削りまたは平面切削の実際の手順が始まる。この目的のために、モータ５によって駆動される、工具ホルダまたはより正確には工具ホルダ上に受け入れられている平削り工具４があり、それによって、工具ホルダまたは平削り工具は、回転軸６を中心として回転され、同時に、リニアドライブ１０を用いて管１４の端面１３に向かう方向に前進され、それによって、平削り工具４が、管１４の円周方向において端面１３を削る。
【００５３】
同時に、ドライアイススノーがノズル１１を介して、工具４とワークピース１４との間の係合の領域内に吹きつけられる。
【００５４】
端面１３の実際の切削が終了すると、図１５に示すように工具４は工具ホルダ３によって後退され、仕上がった、切削および平削りされた管１４はその後、締め付けシリンダ２が開いた後、図６に示すように動かされる。
【００５５】
図７は、工具ホルダ３内に受け入れられる平削り工具４の一実施形態を示す。平削り工具４は、２つの切削刃２７、２８を有する割り出し可能切削インサートである。この割り出し可能切削インサートは、２つの管部分の管端部の機械加工に使用することができる。動作中、切削インサート４は、第１の切削刃２７が、すでに突切りされた管部分の管端部を処理することができるように、工具ホルダ上に受け入れられる。切削インサート４を工具ホルダ３上に受け入れるために、工具４は、中央締結孔２９を備える。さらに、切削インサート４は、工具ホルダ３に対する接触面としての役割を果たす下面または底面３０を備え、下面３０を上面３３に接続する側面３１、３２を備える。上面３３は、図示されている実施形態においては凹状に設計されている。切削インサート４は、管端部の機械加工中、上面３３が、切り屑がその上で流れ落ちる切り屑面としての役割を果たすように、工具ホルダ３上に受け入れられ得る。
【００５６】
原開示の目的のために、本明細書、図面および特許請求の範囲から当業者にもたらされるすべての特徴は、たとえそれらが特定の他の特徴に関連してのみ記載されていたとしても、明示的に除外されていない限り、または、技術的要素が組み合わせを不可能もしくは無意味なものにするのでない限り、個々に、また本明細書に開示されている他の特徴または特徴群との任意の組み合わせにおいて、組み合わせることができることを指摘しておく。本明細書を簡潔に、また読みやすくするために、特徴のすべての考えられる組み合わせの包括的で明示的な提示は、本明細書には与えられていない。
【００５７】
本発明は図面および本明細書の先行部分に詳細に提示および説明されているが、この提示および明細書はほんの一例にすぎず、添付の特許請求の範囲によって画定されているような保護範囲を限定するものではない。本発明は、開示されている実施形態に限定されない。
【００５８】
図面、本明細書および添付の特許請求の範囲から、開示されている実施形態の変更形態が、当業者には明らかである。特許請求の範囲において、「備える（ｃｏｍｐｒｉｓｅ）」という単語は、他の要素またはステップを除外するものではなく、不定冠詞「ａ」は複数形を除外するものではない。特定の特徴が複数の異なる特許請求項において特許請求されているというだけの事実は、それらの組み合わせを除外するものではない。特許請求の範囲内の参照符号は、保護範囲を限定するようには意図されていない。
【符号の説明】
【００５９】
１  処理機械、機械
２  締め付けシリンダ
３  工具ホルダ
４  平削り工具
５  駆動部
６  回転軸
７  止め具
８、１０  リニアドライブ
９  方向
１１  ノズル
１２  ライン
１３  管１４の端面
１４  管
２７、２８  切削刃
２９  締結孔
３０  底面
３１、３２  側面
３３  切り屑面
【図１】
2019077034.tif 000003
【図２】
2019077034.tif 000004
【図３】
2019077034.tif 000005
【図４】
2019077034.tif 000006
【図５】
2019077034.tif 000007
【図６】
2019077034.tif 000008
【図７】
2019077034.tif 000009
【手続補正書】
【提出日】平成31年1月4日(2019.1.4)
【手続補正１】
【補正対象書類名】特許請求の範囲
【補正対象項目名】全文
【補正方法】変更
【補正の内容】
【特許請求の範囲】
【請求項１】
処理されるべき管（１４）のための締め付けデバイス（２）を用いて前記管の端面（１３）を平削りするための処理機械（１）であって、
前記処理機械は、平削り工具（４）を有する工具ホルダ（３）を有し、
ここで、前記工具ホルダ（３）はモータによって駆動され、回転軸（６）を中心として回転することができ、
ここで、前記締め付けデバイス（２）および前記工具ホルダは、モータによって駆動されて、前記工具ホルダの前記回転軸（６）に平行な方向（９）に、互いに対して動かされることができ、
前記処理機械（１）は冷却デバイスを備え、前記冷却デバイスは、該デバイスの動作中に、液体および／または固体二酸化炭素を用いて、前記処理されるべき管（１４）および／または前記平削り工具（４）を冷却し、潤滑剤を用いることなく、前記管（１４）と前平削り工具（４）の間の係合領域を潤滑にするように構成されていることを特徴とする、処理機械（１）。
【請求項２】
前記冷却デバイスは、前記液体または固体二酸化炭素のための少なくとも１つのノズル（１１）を備え、ここで、前記ノズル（１１）は、前記デバイスの動作中、前記二酸化炭素が、好ましくは前記管（１４）と前記平削り工具（４）との間の係合の周辺で、前記ノズル（１１）から前記管へと流れ出るように構成されていることを特徴とする、請求項１に記載の処理機械（１）。
【請求項３】
前記冷却デバイスは、前記二酸化炭素のための少なくとも１つのノズル（１１）を備え、ここで、前記ノズル（１１）は、前記デバイスの動作中、前記二酸化炭素が、好ましくは前記管（１４）と前記平削り工具（４）との間の係合の周辺で、前記ノズル（１１）から前記平削り工具（４）へと流れ出るように構成されていることを特徴とする、請求項１に記載の処理機械（１）。
【請求項４】
前記冷却デバイスは、前記二酸化炭素のための少なくとも１つのノズル（１１）を備え、ここで、前記ノズル（１１）は、前記デバイスの動作中、前記二酸化炭素が、好ましくは前記管（１４）と前記平削り工具（４）との間の係合の周辺で、前記ノズル（１１）から前記平削り工具（４）および前記管（１４）へと流れ出るように構成されていることを特徴とする、請求項１に記載の処理機械（１）。
【請求項５】
前記冷却デバイスは、ライン（１２）を介して前記ノズル（１１）に接続されている、液体二酸化炭素のためのリザーバを備えることを特徴とする、請求項１から４のいずれか一項に記載の処理機械（１）。
【請求項６】
前記冷却デバイスは、前記二酸化炭素のための少なくとも１つのノズル（１１）を備え、ここで、前記ノズル（１１）は膨張室を有し、前記膨張室は、ドライアイスが生成されるように前記液体二酸化炭素が前記膨張室内で膨張することができるように構成されていることを特徴とする、請求項１から５のいずれか一項に記載の処理機械（１）。
【請求項７】
前記冷却デバイスは、ライン（１２）を介して前記ノズル（１１）に接続されている、圧縮空気を生成するためのデバイスを備え、ここで、前記ライン（１２）の端部は前記ノズル（１１）において、前記膨張室内で生成される前記ドライアイスが、圧縮空気を用いて前記ノズル（１１）から飛び出すことができるように構成されていることを特徴とする、請求項６に記載の処理機械（１）。
【請求項８】
前記冷却デバイスは、前記二酸化炭素のための少なくとも１つのノズル（１１）を備え、ここで、前記デバイスの動作中、前記液体二酸化炭素から、ドライアイススノーの形態の固体二酸化炭素が、前記ノズル（１１）において生成されることを特徴とする、請求項１から７のいずれか一項に記載の処理機械（１）。
【請求項９】
前記処理機械（１）は、前記処理されるべき管の端面（１３）のための止め具（７）を備えることを特徴とする、請求項１から８のいずれか一項に記載の処理機械（１）。
【請求項１０】
前記止め具（７）はモータによって駆動されて、前記工具ホルダの前記回転軸（６）に実質的に垂直な方向（９）において第１の位置から第２の位置へと動かされ得、ここで、前記止め具（７）は、前記第１の位置において、前記処理されるべき管の前記端面（１３）と係合され得るように構成されており、前記止め具（７）は、前記第２の位置において、前記処理されるべき管の前記端面（１３）を解放するように構成されていることを特徴とする、請求項９に記載の処理機械（１）。
【外国語明細書】
2019077034000001.pdf